(57)【要約】      （修正有）【課題】安価で誰にでも簡単に取り付けが可能で、部屋の中の家具や家電製品の配置に左右されることなく、直下型地震の揺れに対しても、地震の縦揺れ、横揺れに左右されることなく、一定の強度の揺れに対して確実に、電源を遮断する事ができる地震の揺れを利用した電源遮断装置を提供する。【解決手段】電源開閉器のレバーに錘連結して、弾発性を備えた略Ｌ字状の支持体に載置した錘を落下させて前記電源開閉器のレバーをひき下げて電源回路を遮断する地震の揺れを利用した電源遮断装置に於いて、支持体１に錘を配置する開口部３を設け、開口部３の略縁部には、横方向の揺れを感知した場合、錘Ｐを開口部３から弾き出す押し出し部４を備えた。【選択図】図２
0003122442.tif 000002
【実用新案登録請求の範囲】
【請求項１】
電源開閉器のレバーに錘を連結して、地震等の揺れに反応して、弾発性を備えた略Ｌ字状の装置部に載置した錘を落下させて前記電源開閉器のレバーをひき下げて電源回路を遮断する地震の揺れを利用した電源遮断装置に於いて、支持体１に錘を配置する開口部３を設け、開口部３の略縁部に、若干の横方向の揺れを利用して、錘Ｐを開口部３から弾き出す押し出し部４を備えたことを特徴とする地震の揺れを利用した電源遮断装置。
【考案の詳細な説明】
【技術分野】
【０００１】  本考案は、地震の揺れを利用して電源開閉器のスイッチレバーを閉鎖方向に切り替える電源遮断装置に関するものである。
【背景技術】
【０００２】  従来、地震の強い揺れを感知しマイクロプロセッサー（マイコン）等による電源を遮断する装置が実用に供せられているが、この装置は電子部品を組み込んで回路を構成し漏電ブレーカーと一体に組み込まれ、漏電ブレーカーの名称で実用に供せられている。【０００３】  しかし、この漏電ブレーカーは価格が数万円するため、家屋の新築等の場合、設置する事が多いが、建築コストに直接跳ね返るため、建築費を押し上げる結果、敬遠され勝ちで、旧家屋に設置されている、電源ブレーカーに変えて前記の漏電ブレーカーを設置する家庭はなく、普及していない。【０００４】  東海地震や、相模湾を震源とする大規模地震、東京の直下で発生する大規模地震等近年頻りに取りざたされている現状である。【０００５】  又、コンセントの差し込み口に取り付けて、地震の強い揺れを感知すると、内部にはスプリングが設けてあり、このスプリングの持つ弾発力によって、差し込まれているプラグを自動的に押し出し、コンセントからプラグを排除する物が実用に供せられている。【０００６】  この場合、コンセントに組み込まれているため、コンセントも前にタンスや書棚等の家具類、又は冷蔵庫や洗濯機等の大型家電製品が於かれている場合が多く、二次災害の危険を回避するまでには到っていない。【０００７】  また、電源開閉器のスイッチレバーの端部に連結具を連結し、この連結具の端部に錘を連結し、弾発性を有する素材で形成される錘受け部の、錘を載せる部分に開口部を設け、地震の揺れを受けて、開口部から錘を離脱、落下させてこの錘のモーメントによって電源開閉器のスイッチレバーを回路遮断方向に引き下げ、電源を遮断する物が実用に供せられている（参考文献１）。【０００８】  この場合、弾発性を有する板の端部に開口部を設け、この開口部に錘を載置してあるため、地震の横揺れに対しては弾発力によって錘が押し上げられ更に開口部が小刻みに水平方向に揺動するため、錘は非常に敏感に作用し、開口部から開放され、的確に落下し、電源開閉器のスイッチレバーを引き下げ、初期の目的を達している。【０００９】  しかし、地震の揺れは直下型に見る縦揺れと、遠震源に見る横揺れとがあるり、横揺れに対しては、開口部から錘が転動して脱落しやすく、縦揺れ方向に対しては、弾発性を有する板の弾発力によって、錘を上下動の揺れによって開口部から投げ出す作用であるため、錘の形状が球体であるため、この球体の外面は何れの箇所によっても、突出した状態にあり、開口部の縁部に誘導されて、錘が上方向に揺動しても開口部内に誘導され、元の状態になるため、横揺れの比率の高い揺れに対する錘の落下と、縦揺れの比率の高い揺れに対する錘の落下について、それぞれの揺れの強さが異なるという問題がある。
【参考文献１】
特願平９−２４９２９１号公報
【考案が解決しようとする課題】
【００１０】  従って、本考案が解決しようとする課題は、安価で誰にでも簡単に取り付けが可能で、部屋の中の家具や家電製品の配置に左右されることなく、直下型地震の揺れに対しても、地震の縦揺れ、横揺れに左右されることなく、一定の強度の揺れに対して確実に、電源を遮断する事ができる地震の揺れを利用した電源遮断装置を提供することである。
【課題を解決するための手段】
【００１１】  本考案は、電源開閉器のレバーに錘連結して、弾発性を備えた略Ｌ字状の支持体に載置した錘を落下させて前記電源開閉器のレバーをひき下げて電源回路を遮断する地震の揺れを利用した電源遮断装置に於いて、支持体１に錘を配置する開口部３を設け
、開口部３の略縁部には、横方向の揺れを感知した場合、錘Ｐを開口部３から弾き出す押し出し部４を備えたことである。
【考案の効果】
【００１２】  本考案によれば、家屋に外部から電源を引き込む、電源ブレーカーに取り付けるものであるから、周囲に家具や家電製品を置く事はないからそれらの物体によって、機能を妨げられる事はない。
又、支持体１を形成する薄いバネ板と錘、連結部材Ｈを形成する紐、固着部材６で構成されているため、製造コストも、販売価格も廉価であり、取り付けに当たって、支持体１を固着部材６で貼り付けるのみであるから、工具や手間もいらず、資格等を取得する必要もなく、将に誰にでも取り付けることができるばかりか、支持体１に設けた開口部３の周縁部に押し出し部４を形成してあるため、錘Ｐを開口部３に載置した場合、錘Ｐの面に押し出し部４が接触し、直下型地震の下から突き上げるような、縦揺れに襲われると、横方向の波動が含まれており、垂直方向の波動を受けた錘Ｐは、支持体１の弾発力によって振られ、上下に揺動し開口部３から一瞬、浮上した状態になる、この時点で、水平方向の波動は同じく支持体１の弾発力によって、小刻みな揺れが押し出し部４に伝播し、開口部３から浮遊状態にある錘Ｐの側部周胴面を叩き、錘Ｐは強制的に開口部３から転動脱出し、支持体１上から落下し、錘Ｐに連結させる連結部材Ｈを介して電源開閉器のスイッチレバーに連結されており、錘Ｐの落下する力は加速しているから大きな力となって、電源開閉器のスイッチレバーを瞬時に引き下げ、家屋内の配電回路に流れていた電流を完全に遮断する事ができるため、災害時の混乱に伴い、万一、被害状況の確認が不充分な状態で送電を再開した場合であっても、感電や漏電その他、通電に伴う火災等の二次災害は完全に防止する事ができ、従来の単に錘を平坦な面に載置したり、又、開口部に錘を安定的に保持させる方法とは、その構造に於いて、又効果に於いても、比較にならない大きな効果を得ることができる。
【考案を実施するための最良の形態】
【００１３】  弾発性を有する一枚の板の一端に開口部３を設け、開口部３には押し出し部４を形成するための舌片を一体に形成すると良く、開口部３より力中心方向に欠切２、２を設けると良く、この欠切２、２は錘Ｐを開口部３上に載置した状態で、地震等の揺れのない平常な状態に於いて、安定的に支持体１に支持可能で、且つ、地震の揺れが発生した場合、錘Ｐが揺動し転動して開口部３より脱出落下するに最適な弾発力と強度を備えるために設けてある。【００１４】  更に、欠切２、２から他の端部にの間の適宜な位置を折曲げて略Ｌ字状に形成し、固着部５を構成すると共に、略Ｌ字状の外面に固着部材６を設けると良く、固着部材６は支持体１を電源開閉器、又は電源開閉器のカバーの面等に、接着又は粘着等の手段を持って設ける。【００１５】  又、押し出し部４を形成するための舌片は、開口部３の周縁部に添って角度Ｃを構成するように折曲しても良く、この時錘Ｐを開口部３に載置した場合、錘Ｐの面に接触する状態に形成するよく、これは、直下型地震の縦揺れは、純粋な垂直方向の波動ではなく、水平方向の波動が含まれており、ただ垂直方向の波動と、水平方向の波動の比率が、垂直方向の波動が極めて高比率であるため、垂直方向の波動を受けて錘Ｐが上下動し開口部３から一瞬、浮上した状態で押し出し部４によって強制的に開口部３から押し出す作用を付加する事が望ましい。
【実施例】
【００１６】  以下、本考案の実施例１について図面に従って説明すると、図１は本実施例の支持体１を展開した状態を示す斜視図、図２は支持体を示す斜視図、図３は支持体に錘を載置した状態を示す斜視図、図４は支持体に錘を載置した状態で錘と押し出し部との関係を示す斜視図のＢ、Ｂ｀断面図で、（図１）弾発性を有する平らな板の一端に開口部３を設け、この開口部３の周縁部には押し出し部４を形成するための舌片状が形成してある。
更に、開口部３から支持体１の長手方向、略中心に向かって欠切２、２を設けると良く、この欠切２、２は錘Ｐを開口部３上に載置した状態で、地震等の揺れのない平常な状態に於いて、安定的に支持体１に錘Ｐを支持可能で、且つ、地震の揺れが発生した場合、錘Ｐが揺動し、転動して開口部３より脱出落下するに最適な弾発力と、強度を備えるために設けたものである。【００１７】  更に、（図２）この欠切２、２から支持体１の他の端部の間の、適宜な位置を折曲げて略Ｌ字状に形成し、略Ｌ字状の一端に固着部５を構成すると共に、略Ｌ字状の固着部５の外面に、固着部材６を設ける。
固着部材６は、接着シート、又は粘着シート、或いは直接接着剤を塗布する事も可能であり、又粘着剤と塗布する事も可能である事は言うまでなく、支持体１を所定の部位、例えば電源開閉器の本体の表面、又は、電源開閉器のカバーの表面等に、接着又は粘着等によって固着するために、設けたものである。【００１８】  又、押し出し部４を形成するための舌片は、開口部３の周縁部に添って、支持体１の上面方向に起立し、開口部３に安定的に錘Ｐを支持可能で、且つ、地震の揺れが発生した場合、小さく小刻みな横揺れによって、錘Ｐの周胴側面を叩き、錘Ｐを転動させ開口部３より脱出落下するに最適な角度Ｃを構成して折曲起立させてあり、縦揺れ、横揺れ共に同じ強さの震度（震度５強）で支持体１から錘Ｐを落下させることができる。【００１９】  従って、この時、錘Ｐを開口部３に載置した場合、錘Ｐの面に押し出し部４が接触する状態に形成してある事が望ましい（図４）ことは言うまでもない（連結部材Ｈは図４に於いては省略する）。
更に、押し出し部４の作用と効果を詳細に述べれば、直下型地震は下から突き上げるような、激しい縦揺れに襲われると言われているが、純粋な垂直方向の波動ばかりではなく、水平方向、いわば横方向の波動が含まれており、ただ垂直方向の波動と、水平方向の波動の比率に於いて、垂直方向の波動が極めて高比率を占め、極めて強いことである。【００２０】  このため、垂直方向の波動を受けた錘Ｐは、支持体１の弾発力によって振られ、上下に揺動し開口部３から一瞬、浮上した状態になる時点で、水平方向の波動は同じく支持体１の弾発力によって、小刻みな揺れは押し出し部４に伝播する。
この小刻みな揺れは、開口部３から浮遊状態にある錘Ｐの側部周胴面を叩く、その結果、押し出し部４が、錘Ｐは強制的に開口部３から転動脱出し、支持体１上から落下する。
その使用状態の一例の参考を、図５によって説明すると、電源開閉器カバーＫの下部にある平坦な面に支持体１を固着部材６によって固着し、開口部３上に錘Ｐを載置してあり、連結部材Ｈによって電源開閉器のスイッチレバーＬに設けられているレバー開口部Ｓに連結されている。
このため、連結部材１が紐又は鎖、又は柔軟なワイヤー等で構成されているから、錘Ｐが落下すると、直線状に達する。【００２１】  この時、錘Ｐの落下する力は加速しているから大きな力となって、電源開閉器のスイッチレバーを瞬時に引き下げ、家屋内の配電回路に流れていた電流を完全に遮断する事ができるため、災害時の混乱に伴い、万一、被害状況の確認が不充分な状態で送電を再開した場合であっても、感電や漏電その他、通電に伴う火災等の二次災害は完全に防止する事ができ、従来の単に錘を平坦な面に載置したり、又、開口部に錘を安定的に保持させる方法とは、その構造に於いて、又効果に於いても、比較にならない大きな効果を得る事ができる。【００２２】  次に、本考案の実施例２を図６に従って説明すると（連結部材Ｈは省略する）、開口部３の周縁部に形成する、押し出し部４の面、錘Ｐに接する面を、錘Ｐの周胴表面と近似した曲面に形成する事も可能で、この実施例の場合に於いても、実施例１と同様の作用及び効果を得る事ができるものである。【００２３】  図７は本考案の実施例３の押し出し部を示す斜視図、図８は支持体１に押し出し部４を設けた状態を示す斜視図で、一枚の板の略中央付近に曲部４Ａを形成し、一端に固着片４Ｅを形成し、一端に押し出し部４を形成すると共に、固着片表面４Ｂを支持体１に設けた開口部３の周縁部付近に固着して本考案の地震の揺れを利用した電源遮断装置を構成する事もできる。【００２４】  尚、支持体１の表面に押し出し部４を固着するに当たっては、接着、又は粘着、又は半田付け、又はスポット溶接等の手段を用いて固着する事が可能であり、実施例１と同様の使用方法によって、同様の作用及び効果を得る事ができるものである。【００２５】  図９は、本考案の実施例４の押し出し部を示す斜視図で、一枚の板の上端４Ｊから適宜な距離を押し出し部４として形成し、曲部４Ａを介して保持部Ｇを形成する。
保持部Ｇは端部を折り返して間隙Ｆを形成するとよい。
この間隙Ｇは、（以下図示しないが）支持体１に設けた開口部３の周縁部の内側から挿着し、押し出し部４として機能させる事も可能で、この場合、接着又は粘着又は半田付け、又は溶接等の手段にを用いる事により、更に強固に固着する事もでき、実施例１と同様に使用する事で、同様の作用、及び効果を得る事ができるものである。【００２６】  図１０は、本考案の実施例５の押し出し部を示す斜視図で、曲部４Ｈを介して、一端に押し出し部４を形成し、他の一端の略中央付近に間隙４Ｍを介して立ち上がった狭持部４Ｌを形成する事も可能で、この場合、間隙４Ｍは奥手方向をやや広く、先端方向を狭く形成するとよく、換言すれば狭持部４Ｌがクリップ状を形成するとよく、狭持部先端１５Ｍは挿入時に挿入し易くするために間隙４Ｍを広く形成する事は言うまでもない。
従って、この実施例の押し出し部を使用するには、（以下図示しないが）支持部１にもいけた開口部３（図８参照）の周縁部の内側から狭持部先端１４を挿入し間隙４Ｍを介して狭持部４Ｌによって支持部１を狭持し押し出し部４を固定し、開口部３に錘Ｐを載置するものであるから、本考案の実施例１と同様の使用方法により、同様の作用と効果を得る事ができるものである。
【図面の簡単な説明】
【００２７】
【図１】  本考案の実施例１の支持体を展開した状態を示す斜視図である。
【図２】  本考案の実施例１の支持体を示す斜視図である。
【図３】  本考案の実施例１の支持体に錘を載置した状態を示す斜視図である。
【図４】  本考案の実施例１の支持体に錘を載置した状態で錘と押し出し部との関係を示す斜視図のＢ、Ｂ｀断面図であり、連結部材は省略してある。
【図５】  本考案の地震の揺れを利用した電源遮断装置の使用例を示す斜視図である。
【図６】  本考案の実施例２を示す斜視図の断面図で、連結部材は省略してある。
【図７】  本考案の実施例３の押し出し部を示す斜視図である。
【図８】  本考案の実施例３の支持体１に押し出し部４を設けた状態を示す斜視図である。
【図９】  本考案の実施例４の押し出し部を示す斜視図である。
【図１０】  本考案の実施例５の押し出し部を示す斜視図である。
【符号の説明】
【００２８】１  支持体
２  欠切
３  開口部
４  押し出し部
Ｋ  電源開閉器のカバー
Ｌ  スイッチレバー
Ｓ  レバー開口部
５  固着部
６  固着部材
Ｂ  曲折部
Ｃ  角度
Ｐ  錘
４Ａ  曲部
４Ｂ  固着片表面
４Ｅ  固着片
Ｆ  間隙
Ｇ  保持部
４Ｈ  曲部
４Ｊ  上端
４Ｌ  狭持部
４Ｍ  間隙
Ｈ  連結部材
１４    狭持部先端
１５Ｍ  狭持部先端
【図１】
0003122442.tif 000003
【図２】
0003122442.tif 000004
【図３】
0003122442.tif 000005
【図４】
0003122442.tif 000006
【図５】
0003122442.tif 000007
【図６】
0003122442.tif 000008
【図７】
0003122442.tif 000009
【図８】
0003122442.tif 000010
【図９】
0003122442.tif 000011
【図１０】
0003122442.tif 000012